【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
第１及び第２の電極を有する第１の発光素子と、
第１及び第２の電極を有する第２の発光素子と、
前記第１の発光素子を有する第１の画素部と、
前記第２の発光素子を有する第２の画素部と、
前記第２の発光素子の第１の電極と第２の電極の間に流れる電流を測定する第１の手段と、
前記第１の手段で測定した電流値と基準となる電流値を比較する第２の手段と、
前記第１の手段で測定した電流値と前記基準となる電流値の差によって、前記第２の発光素子の第１の電極と第２の電極の間に流れる電流が前記基準となる電流値に近づくように、前記第１の発光素子及び前記第２の発光素子それぞれの第１の電極と第２の電極の間の電圧を補正する第３の手段とを有することを特徴とする発光装置。
【請求項２】
第１及び第２の電極を有する第１の発光素子と、
第１及び第２の電極を有する第２の発光素子と、
前記第１の発光素子を有する画素が複数設けられた第１の画素部と、
前記第２の発光素子を有する画素が複数設けられた第２の画素部と、
全ての前記第２の発光素子の第１の電極と第２の電極の間に流れる電流の合計を測定する第１の手段と、
前記第１の手段で測定した電流値と基準となる電流値を比較する第２の手段と、
前記第１の手段で測定した電流値と前記基準となる電流値の差によって、全ての前記第２の発光素子の第１の電極と第２の電極の間に流れる電流の合計が前記基準となる電流値に近づくように、全ての前記第１の発光素子及び前記第２の発光素子それぞれの第１の電極と第２の電極の間の電圧を補正する第３の手段とを有することを特徴とする発光装置。
【請求項３】
第１及び第２の電極を有する第１の発光素子と、
第１及び第２の電極を有する第２の発光素子と、
前記第１の発光素子を有する画素が複数設けられた第１の画素部と、
前記第２の発光素子を有する画素が複数設けられた第２の画素部と、
全ての前記第２の発光素子の第１の電極と第２の電極の間に流れる電流の合計を測定する第１の手段と、
前記第１の手段で測定した電流値と基準となる電流値を比較する第２の手段と、
前記第１の手段で測定した電流値と前記基準となる電流値の差によって、全ての前記第２の発光素子の第１の電極と第２の電極の間に流れる電流の合計が前記基準となる電流値に近づくように、全ての前記第１の発光素子及び前記第２の発光素子それぞれの第１の電極と第２の電極の間の電圧を補正する第３の手段とを有し、
前記第１の発光素子及び第２の発光素子は定電圧で駆動されることを特徴とする発光装置。
【請求項４】
第１及び第２の電極を有する第１の発光素子と、
第１及び第２の電極を有する第２の発光素子と、
前記第１の発光素子及び第１のＴＦＴを有する画素が複数設けられた第１の画素部と、
前記第２の発光素子及び第２のＴＦＴを有する画素が複数設けられた第２の画素部と、
全ての前記第２の発光素子の第１の電極と第２の電極の間に流れる電流の合計を測定する第１の手段と、
前記第１の手段で測定した電流値と基準となる電流値を比較する第２の手段と、
前記第１の手段で測定した電流値と前記基準となる電流値の差によって、全ての前記第２の発光素子の第１の電極と第２の電極の間に流れる電流の合計が前記基準となる電流値に近づくように、全ての前記第１の発光素子及び前記第２の発光素子それぞれの第１の電極と第２の電極の間の電圧を補正する第３の手段とを有し、
前記第１のＴＦＴは、前記第１の発光素子の発光と非発光を制御するＴＦＴであり、
前記第２のＴＦＴは、前記第２の発光素子の発光と非発光を制御するＴＦＴであることを特徴とする発光装置。
【請求項５】
第１及び第２の電極を有する第１の発光素子と、
第１及び第２の電極を有する第２の発光素子と、
前記第１の発光素子及び第１のＴＦＴを有する画素が複数設けられた第１の画素部と、
前記第２の発光素子及び第２のＴＦＴを有する画素が複数設けられた第２の画素部と、
前記第１の画素部に設けられた複数の第１の電源線と、
前記第２の画素部に設けられた複数の第２の電源線とを有し、
前記第１のＴＦＴのソース領域またはドレイン領域の一方は、前記第１の発光素子の第１の電極と電気的に接続され、ソース領域またはドレイン領域の他方は、前記第１の電源線と電気的に接続され、
前記第２のＴＦＴのソース領域またはドレイン領域の一方は、前記第２の発光素子の第１の電極と電気的に接続され、ソース領域またはドレイン領域の他方は、前記第２の電源線と電気的に接続されている発光装置において、
全ての前記第２の発光素子の第１の電極と第２の電極の間に流れる電流の合計を測定する第１の手段と、
前記第１の手段で測定した電流値と基準となる電流値を比較する第２の手段と、
前記第１の手段で測定した電流値と前記基準となる電流値の差によって、全ての前記第２の発光素子の第１の電極と第２の電極の間に流れる電流の合計が前記基準となる電流値に近づくように、全ての前記第１の発光素子及び前記第２の発光素子の第２の電極の電位を制御することによって、全ての前記第１の発光素子及び前記第２の発光素子それぞれの第１の電極と第２の電極の間の電圧を補正する第３の手段とを有することを特徴とする発光装置。
【請求項６】
第１及び第２の電極を有する第１の発光素子と、
第１及び第２の電極を有する第２の発光素子と、
前記第１の発光素子及び第１のＴＦＴを有する画素が複数設けられた第１の画素部と、
前記第２の発光素子及び第２のＴＦＴを有する画素が複数設けられた第２の画素部と、
前記第１の画素部に設けられた複数の第１の電源線と、
前記第２の画素部に設けられた複数の第２の電源線とを有し、
前記第１のＴＦＴのソース領域またはドレイン領域の一方は、前記第１の発光素子の第１の電極と電気的に接続され、ソース領域またはドレイン領域の他方は、前記第１の電源線と電気的に接続され、
前記第２のＴＦＴのソース領域またはドレイン領域の一方は、前記第２の発光素子の第１の電極と電気的に接続され、ソース領域またはドレイン領域の他方は、前記第２の電源線と電気的に接続されている発光装置において、
全ての前記第２の発光素子の第１の電極と第２の電極の間に流れる電流の合計を測定する第１の手段と、
前記第１の手段で測定した電流値と基準となる電流値を比較する第２の手段と、
前記第１の手段で測定した電流値と前記基準となる電流値の差によって、全ての前記第２の発光素子の第１の電極と第２の電極の間に流れる電流の合計が前記基準となる電流値に近づくように、全ての前記第１の発光素子及び前記第２の発光素子の第１の電極及び第２の電極の電位を制御することによって、全ての前記第１の発光素子及び前記第２の発光素子それぞれの第１の電極と第２の電極の間の電圧を補正する第３の手段とを有することを特徴とする発光装置。
【請求項７】
請求項２乃至請求項６のいずれか１項において、
前記第１の画素部及び前記第２の画素部は、赤に対応した発光素子を有する画素と、緑に対応した発光素子を有する画素と、青に対応した発光素子を有する画素とを有し、
前記第１、第２または第３の手段が、前記第１の発光素子及び前記第２の発光素子の対応する色ごとに設けられていることを特徴とする発光装置。
【請求項８】
第１及び第２の電極を有する第１の発光素子と、
第１及び第２の電極を有する第２の発光素子と、
前記第１の発光素子を有する第１の画素部と、
前記第２の発光素子を有する第２の画素部と、
第１の可変電源と、
第２の可変電源と、
前記第２の発光素子の第１の電極と第２の電極の間に流れる電流を測定する電流計と、
前記電流計で測定した電流値と基準となる電流値を比較し、前記第２の発光素子の第１の電極と第２の電極の間に流れる電流が前記基準となる電流値に近づくように、前記第１の発光素子及び前記第２の発光素子それぞれの第１の電極と第２の電極の間の電圧を、前記第１の可変電源及び前記第２の可変電源を制御することにより補正する補正回路とを有することを特徴とする発光装置。
【請求項９】
第１及び第２の電極を有する第１の発光素子と、
第１及び第２の電極を有する第２の発光素子と、
第１の発光素子を有する画素が複数設けられた第１の画素部と、
第２の発光素子を有する画素が複数設けられた第２の画素部と、
第１の可変電源と、
第２の可変電源と、
全ての前記第２の発光素子の第１の電極と第２の電極の間に流れる電流の合計を測定する電流計と、
前記電流計で測定した電流値と基準となる電流値を比較し、前記第２の発光素子の第１の電極と第２の電極の間に流れる電流が前記基準となる電流値に近づくように、前記第１の発光素子及び前記第２の発光素子それぞれの第１の電極と第２の電極の間の電圧を、前記第１の可変電源及び前記第２の可変電源を制御することにより補正する補正回路とを有することを特徴とする発光装置。
【請求項１０】
請求項８または９において、
前記第１の画素部及び前記第２の画素部は、赤に対応した発光素子を有する画素と、緑に対応した発光素子を有する画素と、青に対応した発光素子を有する画素とを有し、
前記第１の可変電源、前記第２の可変電源、前記電流計及び前記補正回路が、前記第１の発光素子及び前記第２の発光素子の対応する色ごとに設けられていることを特徴とする発光装置。
【請求項１１】
請求項８乃至１０のいずれか１項において、
前記第１の発光素子及び前記第２の発光素子は第１の基板上に形成されており、
前記補正回路、前記第１の可変電源、前記第２の可変電源、及び前記電流計は第２の基板に形成されており、
前記第２の基板は前記第１の基板上に取り付けられていることを特徴とする発光装置。
【請求項１２】
請求項１１において、
前記第２の基板は前記第１の基板上にＣＯＧ法により取り付けられていることを特徴とする発光装置。
【請求項１３】
請求項１１において、
前記第２の基板は前記第１の基板上にワイヤボンディング法により取り付けられていることを特徴とする発光装置。
【請求項１４】
請求項１または８において、
前記第２の発光素子の第１の電極と第２の電極の間に流れる電流を測定する時に、前記第２の画素部に特定の画像が表示されることを特徴とする発光装置。
【請求項１５】
請求項２乃至７、９のいずれか１項において、
全ての前記第２の発光素子の第１の電極と第２の電極の間に流れる電流の合計を測定する時に、前記第２の画素部に特定の画像が表示されることを特徴とする発光装置。
【請求項１６】
請求項１または８において、
前記複数の第２の発光素子の第１の電極と第２の電極の間に流れる電流を測定する時に、前記第２の画素部に特定の画像が表示され、
前記特定の画像は、前記基準となる電流値の異なる複数の画像のなかから選択された画像であることを特徴とする発光装置。
【請求項１７】
請求項２乃至７、９のいずれか１項において、
全ての前記複数の第２の発光素子の第１の電極と第２の電極の間に流れる電流の合計を測定する時に、前記第２の画素部に特定の画像が表示され、
前記特定の画像は、前記基準となる電流値の異なる複数の画像のなかから選択された画像であることを特徴とする発光装置。
【請求項１８】
請求項１乃至１７のいずれか１項において、
前記第１の発光素子の第１の電極と第２の電極の間の電圧は、前記第２の発光素子の第１の電極と第２の電極の間の電圧と同じ大きさに保たれることを特徴とする発光装置。
【請求項１９】
請求項１乃至１８のいずれか１項において、
前記第１の手段で測定した電流値と前記基準となる電流値の差を偏差電流とし、前記補正によって変化する分の電圧を補正電圧としたとき、
一定の幅を有する複数の領域ごとに区分した前記偏差電流のそれぞれの領域に対応する所定の補正電圧があらかじめ設定され、
あらかじめ設定された前記偏差電流と前記補正電圧との関係に基づいて、前記第１の発光素子及び前記第２の発光素子の第１の電極と第２の電極の間の電圧を補正することを特徴とする発光装置。
【請求項２０】
請求項１乃至請求項１９のいずれか１項において、
前記第１の発光素子及び前記第２の発光素子の発光する時間をデジタルのビデオ信号によって制御することで階調を表示することを特徴とする発光装置。
【請求項２１】
請求項１乃至請求項２０のいずれか１項において、
前記第１の画素部に入力されるビデオ信号は、前記第２の画素部に入力されるビデオ信号とは異なった系統から入力されるビデオ信号であることを特徴とする発光装置。
【請求項２２】
請求項１乃至２１のいずれか１項に記載の発光装置を表示部に用いた電子機器。
【請求項２３】
請求項２２に記載の電子機器は、ビデオカメラ、デジタルカメラ、ゴーグル型ディスプレイ、ナビゲーションシステム、音響再生装置、ノート型パーソナルコンピュータ、ゲーム機器、携帯情報端末、携帯電話、画像再生装置、またはＴＶである。
【手続補正２】
【補正対象書類名】明細書
【補正対象項目名】００２３
【補正方法】変更
【補正の内容】
【００２３】
また、Ｒ（赤）、Ｇ（緑）、Ｂ（青）に対応した三種類のＯＬＥＤを用いたカラー化表示方式の場合、各色に対応したモニター用画素部をそれぞれ設け、各色のＯＬＥＤごとにＯＬＥＤ駆動電流を測定し、ＯＬＥＤ駆動電圧を補正するようにしても良い。この構成によって、ＯＬＥＤの有機発光層が、対応する色ごとに異なる速度で劣化しても、各色の輝度のバランスが崩れるのを防いで所望の色を表示することができる。
【手続補正３】
【補正対象書類名】明細書
【補正対象項目名】００５１
【補正方法】変更
【補正の内容】
【００５１】
本発明は上記構成によって、有機発光層が劣化してもＯＬＥＤの輝度の低下を抑えることができ、その結果鮮明な画像を表示することができる。また、各色毎に対応したＯＬＥＤを用いたカラー表示の発光装置の場合、ＯＬＥＤの有機発光層が、対応する色ごとに異なる速度で劣化しても、各色の輝度のバランスが崩れるのを防いで所望の色を表示することができる。